(57)【要約】【課題】  反射板とランプと拡散板との間の相対的な空間位置を調整可能なバックライトを提供する。【解決手段】  フレーム１０は、側壁及び底板を有する。少なくとも一つのランプ１８は、フレーム１０に装着される。反射板１６は、ランプ１８の下方に位置するようにフレーム１０の底板の上に装着される。拡散板は、ランプ１８の上方に位置するようにフレーム１０に装着される。少なくとも一つのランプの位置決め器２２は、フレーム１０の上に装着される基座２４を有し、基座２４は底側と最上側と少なくとも一つの孔槽３０とを有し、そのうちの孔槽３０と底側との間に一定の距離をおく。ランプの位置決め器２２は基座２４の底側がフレーム１０の底板の上に貼り付けられ、ランプ１８は孔槽３０の中に収納されることで、ランプ１８は宙吊りの状態を呈し、かつ反射板１６との間に一定の距離をおく。【選択図】    図３
0003107979.tif 000002
【実用新案登録請求の範囲】
【請求項１】
側壁及び底板を有するフレームと、
フレームに装着される少なくとも一つのランプと、
ランプの下方に位置するようにフレームの底板の上に装着される反射板と、
ランプの上方に位置するようにフレームに装着される拡散板と、
フレームの上に装着される基座を有し、基座は底側と最上側と少なくとも一つの孔槽とを有し、そのうちの孔槽と底側との間に一定の距離をおく少なくとも一つのランプの位置決め器とを備え、
ランプの位置決め器は基座の底側がフレームの底板の上に貼り付けられ、ランプは孔槽の中に収納されることで、ランプは宙吊りの状態を呈し、かつ反射板との間に一定の距離が形成されていることを特徴とするバックライト。
【請求項２】
ランプの位置決め器の基座は、板体から構成され、基座の一端から孔槽まで延伸される欠け口を有することを特徴とする請求項１に記載のバックライト。
【請求項３】
ランプの位置決め器の基座は、孔槽の周縁に斜面を有することを特徴とする請求項２に記載のバックライト。
【請求項４】
ランプの位置決め器の基座は、最上側から延伸される柱体を有することを特徴とする請求項１に記載のバックライト。
【請求項５】
ランプの位置決め器の柱体は、尖端を有することを特徴とする請求項１に記載のバックライト。
【請求項６】
ランプの位置決め器は、基座の孔槽の中に装着される受けリングを有し、ランプは受けリングの中央の穿孔が貫通することを特徴とする請求項１に記載のバックライト。
【請求項７】
基座は、孔槽と繋がるリング槽を有することで、受けリングを収納することを特徴とする請求項６に記載のバックライト。
【請求項８】
側壁及び底板を有するフレームと、
フレームに装着される少なくとも一つのランプと、
ランプの下方に位置するようにフレームの底板の上に装着される反射板と、
ランプの上方に位置するようにフレームに装着される拡散板と、
基座と受けリングとを有し、そのうちの基座が底側と最上側とを有し、受けリングがランプを貫通させるための穿孔を有する少なくとも一つのランプの位置決め器とを備え、
基座はフレームの上に固定されることで、底側はフレームの底板の上に貼り付けられ、受けリングは基座の上に装着されることで、ランプは宙吊りの状態を呈し、かつ反射板との間に一定の距離が形成されていることを特徴とするバックライト。
【請求項９】
ランプの位置決め器の基座は、最上側から延伸される柱体を有することを特徴とする請求項８に記載のバックライト。
【請求項１０】
ランプの位置決め器の柱体は、尖端を有することを特徴とする請求項８に記載のバックライト。
【請求項１１】
ランプの位置決め器は、最上側に孔槽を有し、ランプは孔槽の中まで延伸可能であることを特徴とする請求項８に記載のバックライト。
【請求項１２】
ランプの位置決め器の基座は、互いに繋がる孔槽とリング槽とを有し、受けリングはリング槽の中に装着されることで、ランプは孔槽の中まで延伸可能であることを特徴とする請求項８に記載のバックライト。
【請求項１３】
リング槽の長さは、孔槽の長さより小さく、リング槽の幅は孔槽の幅より大きいことを特徴とする請求項８に記載のバックライト。
【考案の詳細な説明】
【技術分野】
【０００１】
本考案は、液晶ディスプレイ（liquid  crystal  display、ＬＣＤ）に関し、特に、ランプの位置決め器により反射板とランプと拡散板との間の相対的な空間位置を確定するバックライトに関するものである。
【背景技術】
【０００２】
従来の直接照明式バックライトは、フレーム、反射板、複数のランプ及び拡散板を備えるものである。ランプは、部分の光源が拡散板に直接に投光し、部分の光源が反射板に投光し、反射板の反射により拡散板に投光する。拡散板を透過した光源は、均質な面光源を形成する。
【０００３】
バックライトにより提供される高輝度の面光源は、ランプと拡散板と反射板との性質に関係があるのに対し、ランプと拡散板と反射板との相対的な空間位置はバックライトが発生する光源の性質に密接な関係がある。
【０００４】
周知の直接照明式バックライトは、通常、ランプの両端がフレームの辺縁底側の凹槽に固定されるものであるため、ランプは組み込みのユニットの寸法差またはランプの内部応力のせいで、ランプの位置が反射板と拡散板に近すぎたり、離れすぎたりしてしまい、ランプの間の距離が一致しないという問題がある。したがって、このような構造は、光源拡散と輝度向上の両方面でバックライトの発生する光源を十分に有効利用することができない。
【考案の開示】
【考案が解決しようとする課題】
【０００５】
本考案の主な目的は、バックライトの反射板とランプと拡散板との間の相対的な空間位置を調整可能なバックライトを提供することにある。
【課題を解決するための手段】
【０００６】
上述の目的を達成するために、本考案によるバックライトは、フレーム、少なくとも一つのランプ、反射板、拡散板及び少なくとも一つのランプの位置決め器を備える。フレームは側壁及び底板を有し、ランプはフレームに装着され、かつ電源と接続されることで所定の光源を発生させ、反射板はランプの下方に位置するようにフレームの底板の上に装着されることでランプからの光源を反射し、拡散板はランプの上方に位置するようにフレームに装着されることでランプからの光源及び反射板から反射される光源を拡散し、ランプの位置決め器はランプを支持するようにフレームの上に固定されることで、ランプは宙吊りの状態を呈し、かつ反射板と拡散板との間に一定の距離をおく。
【考案を実施するための最良の形態】
【０００７】
以下、本考案の構造及び特徴を下記の実施例及び図面に基づいて説明する。
図１に示すように、本考案の第一実施例によるバックライト１は、フレーム１０、反射板１６、８つのランプ１８、拡散板２０及び４つのランプの位置決め器２２を備える。
【０００８】
フレーム１０は、側壁１２及び底板１４を有する。反射板１６は、フレーム１０の中に位置するように底板１４に装着される。ランプ１８は、両端が側壁１２の向かい合う両側に装着される。拡散板２０は、側壁の上端に装着される。
【０００９】
図２に示すように、ランプの位置決め器２２は、塊状の基座２４と、二つの受けリング３４とを有する。基座２４は平面状の底側２６と弧状の最上側２８とを有し、そのうちの最上側２８に孔槽３０とリング槽３２を二つ有する。２つの孔槽３０は、平行に配列され２つの孔槽３０が垂直交錯状を呈し、リング槽３２は孔槽３０に比べて比較的小さい長さと比較的大きい幅を有する。
【００１０】
受けリング３４は、軟質材質から構成され、その中央にランプ１８を貫通させるための穿孔３６を有する。受けリング３４が基座２４の孔槽３０からリング槽３２に装着されることで、ランプ１８は孔槽３０中まで延伸可能である。
【００１１】
図４に示すように、ランプの位置決め器２２がねじ３８によりフレーム１０の底板１４に固定されることで、基座２４の底側２６は反射板１６の上に貼り付けられる。それによって、ランプ１８はランプの位置決め器２２により反射板１６との間に一定の高さｄ１をおくように支持され、反射板１６と拡散板２０との間の距離ｄ２はフレーム１０の側壁１２の高さによって決められる。設計者は、予めバックライトの各ユニットの形状、寸法及び光学性質などの要素によって反射板、ランプ及び拡散板などのユニットの相対的な空間位置を算出し、そして、算出したデーターに基づいてランプの支持器を設計することが可能である。したがって、本実施例によるバックライトは、光源を十分に有効利用し、拡散効果を提供することが可能である。
【００１２】
図３に示すように、ランプ１８を支持する力を提供するために、ランプの位置決め器２２をフレーム１０の中央区域に近いところに装着することが、一番好ましい。そして、ランプの位置決め器２２により影が発生することを避けるために、基座２４と受けリング３４の材質が透明の材質であれば、一番好ましい。また、ランプの位置決め器２２を非対称でフレーム１０の中に配列することが、一番好ましい。原則上、ランプ１８ごとに少なくとも１つのランプの位置決め器２２により支持することが必要である。しかし、ランプの位置決め器の数量が多ければ多いほど、影の発生が高くなるため、状況によって部分のランプはランプの位置決め器により支持されていないことがある。
【００１３】
図５に示すように、本考案の第二実施例によるランプの位置決め器４０は、基座４２を有し、その最上側に孔槽４４と、リング槽４６及びリング槽６４中に装着される受けリング４８を２つ有する。基座４２は、最上側に二つの孔槽４４の間に位置する柱体５０を有する。柱体５０は、円錐状を呈し、尖端５２を有する。
【００１４】
図６と図７に示すように、バックライト２は、フレーム５４、反射板５６、拡散板５８、８つのランプ６０及び４つのランプの位置決め器４０を備える。前述と同じように、全てのランプ６０は、受けリング４８を貫通し、ランプの位置決め器４０の孔槽４４中に装着される。図７に示すように、ランプの位置決め器４０はねじ６２によりフレーム５４の底板６４に固定されることで、基座４２の底側は反射板５６の上に貼り付けられる。それによって、ランプ６０はランプの位置決め器４０により反射板５６との間に一定の高さｄ１をおくように支持され、反射板１６と拡散板２０との間の距離ｄ２はランプの位置決め器４０の底側から柱体５０の尖端５２までの距離によって決められる。
【００１５】
図８に示すように、本考案の第三実施例によるバックライト３は、フレーム６６、反射板６８、拡散板（図中未表示）、８つのランプ７０及びランプの位置決め器７２を備える。ランプの位置決め器７２は、細長い基座７４を有し、その上に孔槽７６を８つ有し、孔槽７６の中には受けリング７８を有する。ランプ７０は、受けリング７８を貫通し、基座７４の上に装着される。基座７４は、最上面に柱体８０を４つ有する。
本実施例によるランプの位置決め器の形状は、前述と同じように制限する必要がない。
【００１６】
続いて、図１０に示すように、本考案の第四実施例によるランプの位置決め器８２は、板状の基座８４を有し、その上に２つの孔槽８６、２つの欠け口８８及び１つの柱体９０を有する。２つの孔槽８６は、基座８４を貫通し、かつその両端の縁部にそれぞれの斜面９２を有する。２つの欠け口８８は、基座８４の最上側から２つの孔槽８６まで延伸される。柱体９０は、やや三角形を呈し、基座８４の最上側から外向きに延伸されて形成される。
【００１７】
図９と図１１に示すように、本考案の第四実施例によるバックライト４は、フレーム９４、反射板９６、４つのＵ型ランプ９８、拡散板１００及び４つのランプの位置決め器８２を備える。ランプ９８は、ランプの位置決め器８２の欠け口８８から孔槽８６を貫通する。基座８４の底側が反射板９６の上に貼り付けられ、柱体９０の最上側が拡散板１００に貼り付けられることで、ランプ９８は宙吊りの状態を呈し、かつ反射板９６との間に一定の距離をおく。ランプ９８と反射板９６との間の距離ｄ１は、ランプの位置決め器８２の孔槽８６から基座８４の底側までの距離によって決められる。つまり、基座８４における孔槽８６の位置は、ランプの所要の高さによって決められるものである。反射板９６と拡散板１００との間の距離は、基座８４の底側から柱体９０の外端までの距離によって決められるものである。
【００１８】
本実施例によるランプの位置決め器８２のもう一つの特徴は、下記の通りである。ランプの位置決め器８２は、孔槽８６によりランプ９８に径方向に沿う支持束縛力を提供することで、軸に沿う方向には束縛力がない。ランプ９８が点灯した後、温度の上昇に伴い、ランプ９８の長さが増大するため、本実施例によるランプの位置決め器８２により、ランプ９８の長さの変化を許容可能にするだけでなく、ランプ９８を一定の高さまで支持することを可能にする。また、ランプ９８が直径方向に熱膨張を発生するのに伴い、ランプの位置決め器８２の孔槽８６の寸法を変化させるために、基座８４がねじれ性のある材料から構成されるものであれば、一番好ましい。
【図面の簡単な説明】
【００１９】
【図１】本考案の第一実施例によるバックライトを示す分解斜視図である。
【図２】本考案の第一実施例によるバックライトの支持器を示す斜視図である。
【図３】本考案の第一実施例によるバックライトを示す平面図である。
【図４】本考案の第一実施例によるバックライトの位置決め器、ランプ、拡散板及び反射板の相対的な位置を示す断面図である。
【図５】本考案の第二実施例によるバックライトの支持器を示す斜視図である。
【図６】本考案の第二実施例によるバックライトを示す平面図である。
【図７】本考案の第二実施例によるバックライトの位置決め器、ランプ、拡散板及び反射板の相対的な位置を示す断面図である。
【図８】本考案の第三実施例によるバックライトを示す平面図である。
【図９】本考案の第四実施例によるバックライトを示す分解斜視図である。
【図１０】本考案の第四実施例によるバックライトの支持器を示す斜視図である。
【図１１】本考案の第四実施例によるバックライトの位置決め器、ランプ、拡散板及び反射板の相対的な位置を示す断面図である。
【符号の説明】
【００２０】
１  バックライト、２  バックライト、３  バックライト、４  バックライト、１０  フレーム、１２  側壁、１４  底板、１６  反射板、１８  ランプ、２０  拡散板、２２  ランプの位置決め器、２４  基座、２６  底側、２８  最上側、３０  孔槽、３２  リング槽、３４  受けリング、３６  穿孔、３８  ねじ、４０  ランプの位置決め器、４２  基座、４４  孔槽、４６  リング槽、４８  受けリング、５０  柱体、５２  尖端、５４  フレーム、５６  反射板、５８  拡散板、６０  ランプ、６２  ねじ、６４  底板、６６  フレーム、６８  反射板、７０  ランプ、７２  ランプの位置決め器、７４  基座、７６  孔槽、７８  受けリング、８２  ランプの位置決め器、８４  基座、８６  孔槽、８８  欠け口、９０  柱体、９２  斜面、９４  フレーム、９６  反射板、９８  ランプ、１００  拡散板
【図１】
0003107979.tif 000003
【図２】
0003107979.tif 000004
【図３】
0003107979.tif 000005
【図４】
0003107979.tif 000006
【図５】
0003107979.tif 000007
【図６】
0003107979.tif 000008
【図７】
0003107979.tif 000009
【図８】
0003107979.tif 000010
【図９】
0003107979.tif 000011
【図１０】
0003107979.tif 000012
【図１１】
0003107979.tif 000013